(57)【要約】【課題】二種以上の有効成分を含み、水を媒体とする二種以上のプロセス液の処理方法。【解決手段】下記（Ａ）〜（Ｇ）の条件を満足する処理設備を用いる。  （Ａ）：液を保持できる容器状である  （Ｂ）：回収区画と廃棄水区画を有し、回収区画と廃棄水区画は、処理設備の底部に接し、上垂直方向に設置され、上端は液面より下に位置する仕切り板（Ｉ）で区画されている  （Ｃ）：回収区画と廃棄水区画の各々に、処理すべき液を供給する手段が設けられている  （Ｄ）：回収区画の下部に回収液を定量的に抜き出す手段が設けられている  （Ｅ）：廃棄水区画は下部に水通路を有し、液の表面の上部から下垂直に設置された仕切り板（II）を有する  （Ｆ）：廃棄水区画は上部から廃棄水をオーバーフロー排出する排出口を有する  （Ｇ）：仕切り板（Ｉ）の上端は仕切り板（II）の下端より高い【選択図】図１
2010227844.tif 000002
【特許請求の範囲】
【請求項１】
二種以上の有効成分を含み、水を媒体とする二種以上のプロセス液であって、有効成分のうちの一は水溶性の有効成分であり、有効成分の一は比重が１未満の非水溶性の有効成分であるプロセス液の処理方法であって、下記（Ａ）〜（Ｇ）の条件を満足する処理設備を用い、かつ下記（１）〜（３）の条件を満足する操作を行うプロセス液の処理方法。
（Ａ）：全体としてプロセス液を保持できる容器状であること
（Ｂ）：少なくとも回収区画と廃棄水区画を有し、回収区画と廃棄水区画は、処理設備の底部に接し、上垂直方向に設置され、その上端は液面より下に位置する仕切り板（Ｉ）で区画されていること
（Ｃ）：回収区画と廃棄水区画の各々に、処理すべきプロセス液を供給する手段が設けられていること
（Ｄ）：回収区画の下部に回収液を定量的に抜き出す手段が設けられていること
（Ｅ）：廃棄水区画は下部に水通路を有し、プロセス液の表面の上部から下垂直方向に設置された仕切り板（II）を有すること
（Ｆ）：廃棄水区画は上部から廃棄水をオーバーフロー排出する排出口を有すること
（Ｇ）：仕切り板（Ｉ）の上端は仕切り板（II）の下端より高い位置にあること
（１）：処理すべきプロセス液のうち水溶性の有効成分の濃度が高いものから順に選択し、その合計量が予め定められた所定量を超えない範囲のプロセス液を回収区分に供給し、残りのプロセス液を廃棄水区画に供給すること
（２）：回収区画の下部から有効成分濃度が高い回収液を定量的に抜き出すこと
（３）：廃棄水区画の排出口から有効成分濃度が低い廃棄水をオーバーフローで排出すること
【請求項２】
水溶性の有効成分がジヒドロキシベンゼンである請求項１記載の方法。
【請求項３】
非水溶性の有効成分が芳香族系の有機溶媒である請求項１記載の方法。
【請求項４】
非水溶性の有効成分がトルエンである請求項１記載の方法。
【発明の詳細な説明】
【技術分野】
【０００１】
本発明は、プロセス液の処理方法に関するものである。更に詳しくは、本発明は、二種以上の有効成分を含み、水を媒体とする二種以上のプロセス液であって、有効成分のうちの一は水溶性の有効成分であり、有効成分の一は比重が１未満の非水溶性の有効成分であるプロセス液の処理方法であって、比較的簡単な設備で実施でき、処理液の負荷の変動に自動的に対応でき、かつプロセス液中の有効成分に富む液を定量的に回収することができるという優れた特徴を有するプロセス液の処理方法に関するものである。
【背景技術】
【０００２】
たとえば化学プラントにおいては、水溶性の有効成分と非水溶性の有効成分を含み、水を媒体とするプロセス液が発生する。非水溶液の有効成分の回収方法としては、油水分離装置により、分離回収する方法が知られている（たとえば、特許文献１参照。）。しかし、この方法では、水溶性の有効成分を含む水と非水溶液の有効成分を別のルートで回収しなければならず、設備が大掛かりとなる。
【０００３】
一方、水溶性の有効成分の回収方法としては、水を媒体とするプロセス液がプロセスの回収要求に対して過剰であると余剰の水と一緒に該水溶性有効成分が系外へパージされロスとなる。このため、水溶性有効成分を確実に回収するためには、蒸留塔で濃縮回収する方法が一般的に採用されるが、この方法では、必要とする熱量が多く経済性に劣る。
【先行技術文献】
【特許文献】
【０００４】
【特許文献１】特開２００３−１２６６０８号公報
【発明の概要】
【発明が解決しようとする課題】
【０００５】
かかる状況において、本発明が解決しようとする課題は、二種以上の有効成分を含み、水を媒体とする二種以上のプロセス液であって、有効成分のうちの一は水溶性の有効成分であり、有効成分の一は比重が１未満の非水溶性の有効成分であるプロセス液の処理方法であって、比較的簡単な設備で実施でき、処理液の負荷の変動に自動的に対応でき、かつプロセス液中の有効成分に富む液を定量的に回収することができるという優れた特徴を有するプロセス液の処理方法を提供する点にある。
【課題を解決するための手段】
【０００６】
すなわち、本発明は、二種以上の有効成分を含み、水を媒体とする二種以上のプロセス液であって、有効成分のうちの一は水溶性の有効成分であり、有効成分の一は比重が１未満の非水溶性の有効成分であるプロセス液の処理方法であって、下記（Ａ）〜（Ｇ）の条件を満足する処理設備を用い、かつ下記（１）〜（３）の条件を満足する操作を行うプロセス液の処理方法に係るものである。
（Ａ）：全体としてプロセス液を保持できる容器状であること
（Ｂ）：少なくとも回収区画と廃棄水区画を有し、回収区画と廃棄水区画は、処理設備の底部に接し、上垂直方向に設置され、その上端は液面より下に位置する仕切り板（Ｉ）で区画されていること
（Ｃ）：回収区画と廃棄水区画の各々に、処理すべきプロセス液を供給する手段が設けられていること
（Ｄ）：回収区画の下部に回収液を定量的に抜き出す手段が設けられていること
（Ｅ）：廃棄水区画は下部に水通路を有し、プロセス液の表面の上部から下垂直方向に設置された仕切り板（II）を有すること
（Ｆ）：廃棄水区画は上部から廃棄水をオーバーフロー排出する排出口を有すること
（Ｇ）：仕切り板（Ｉ）の上端は仕切り板（II）の下端より高い位置にあること
（１）：処理すべきプロセス液のうち水溶性の有効成分の濃度が高いものから順に選択し、その合計量が予め定められた所定量を超えない範囲のプロセス液を回収区分に供給し、残りのプロセス液を廃棄水区画に供給すること
（２）：回収区画の下部から有効成分濃度が高い回収液を定量的に抜き出すこと
（３）：廃棄水区画の排出口から有効成分濃度が低い廃棄水をオーバーフローで排出すること
【発明の効果】
【０００７】
本発明により、二種以上の有効成分を含み、水を媒体とする二種以上のプロセス液であって、有効成分のうちの一は水溶性の有効成分であり、有効成分の一は比重が１未満の非水溶性の有効成分であるプロセス液の処理方法であって、比較的簡単な設備で実施でき、処理液の負荷の変動に自動的に対応でき、かつプロセス液中の有効成分に富む液を定量的に回収することができるという優れた特徴を有するプロセス液の処理方法を提供することができる。
【図面の簡単な説明】
【０００８】
【図１】実施例１で用いた設備の概略を示す図である。
【発明を実施するための形態】
【０００９】
以下、本発明の実施の形態について、詳細に説明する。
【００１０】
本発明が処理する液は、二種以上の有効成分を含み、水を媒体とする二種以上のプロセス液であって、有効成分のうちの一は水溶性の有効成分であり、有効成分の一は比重が１未満の非水溶性の有効成分であるプロセス液である。
【００１１】
水溶性の有効成分としては、ジヒドロキシベンゼンをあげることができ、より具体的にはレゾルシンをあげることができる。
【００１２】
比重が１未満の非水溶性の有効成分としては、芳香族系の有機溶媒をあげることができ、より具体的にはトルエンをあげることができる。
【００１３】
プロセス液の例としては、メタジイソプロピルベンゼンを空気酸化してメタジイソプロピルベンゼンハイドロパーオキサイドとし、該メタジイソプロピルベンゼンハイドロパーオキサイドを酸分解してレゾルシンを製造するプロセス（たとえば、特開２００２−３６３１１８号公報参照。）から排出されるものをあげることができる。この場合のプロセス液の具体例として、レゾルシン０．０４〜０．１重量％及びトルエン０．０５〜０．２重量％を含む水溶液１００重量部、レゾルシン０．２〜１．０重量％を含む水溶液２５．９重量部等をあげることができる。
【００１４】
本発明においては、下記（Ａ）〜（Ｇ）の条件を満足する処理設備が用いられる。
（Ａ）：全体としてプロセス液を保持できる容器状であること
（Ｂ）：少なくとも回収区画と廃棄水区画を有し、回収区画と廃棄水区画は、処理設備の底部に接し、上垂直方向に設置され、その上端は液面より下に位置する仕切り板（Ｉ）で区画されていること
（Ｃ）：回収区画と廃棄水区画の各々に、処理すべきプロセス液を供給する手段が設けられていること
（Ｄ）：回収区画の下部に回収液を定量的に抜き出す手段が設けられていること
（Ｅ）：廃棄水区画は下部に水通路を有し、プロセス液の表面の上部から下垂直方向に設置された仕切り板（II）を有すること
（Ｆ）：廃棄水区画は上部から廃棄水をオーバーフロー排出する排出口を有すること
（Ｇ）：仕切り板（Ｉ）の上端は仕切り板（II）の下端より高い位置にあること
【００１５】
条件の（Ａ）は、全体としてプロセス液を保持できる容器状であることである。具体的には上方が開放されたプール、全体が外気から遮断されたタンク等をあげることができる。
【００１６】
条件の（Ｂ）は、少なくとも回収区画と廃棄水区画を有し、回収区画と廃棄水区画は、処理設備の底部に接し、上垂直方向に設置され、その上端は液面より下に位置する仕切り板（Ｉ）で区画されていることである。かかる構造とすることにより、プロセス液は仕切り板（Ｉ）の上部は自由に往来でき、仕切り板（Ｉ）下部は往来できないことになる。
【００１７】
条件の（Ｃ）は、回収区画と廃棄水区画の各々に、処理すべきプロセス液を供給する手段が設けられていることである。供給末端は設備内の液面の上部であっても、液中であってもよい。
【００１８】
条件の（Ｄ）は、回収区画の下部に回収液を定量的に抜き出す手段が設けられていることである。具体的には、回収区画の下部に配管を接続し、該配管にポンプを接続すればよい。
【００１９】
条件の（Ｅ）は、廃棄水区画は下部に水通路を有し、プロセス液の表面の上部から下垂直方向に設置された仕切り板（II）を有することである。かかる構造とすることにより、プロセス液は仕切り板（II）の下端以下は自由に往来できるが、下端より上では往来できないことになる。
【００２０】
条件の（Ｆ）は廃棄水区画は上部から廃棄水をオーバーフロー排出する排出口を有することである。排水口には適当な排水処理設備に接続された配管を接続しておけばよい。
【００２１】
条件の（Ｇ）は、仕切り板（Ｉ）の上端は仕切り板（II）の下端より高い位置にあることである。両端の高さ位置の差は、処理すべきプロセス液の量と成分により、適宜調整すればよいが、例として液深の１０〜５０％をあげることができる。
【００２２】
本発明の処理方法は、下記（１）〜（３）の条件を満足する操作が行われる。
（１）：処理すべきプロセス液のうち水溶性の有効成分の濃度が高いものから順に選択し、その合計量が予め定められた所定量を超えない範囲のプロセス液を回収区分に供給し、残りのプロセス液を廃棄水区画に供給すること
（２）：回収区画の下部から有効成分が濃縮された回収液を定量的に抜き出すこと
（３）：廃棄水区画の排出口から有効成分が希釈された廃棄水をオーバーフローで排出すること
【００２３】
かかる操作によりもたらされる作用・効果について説明する。
【００２４】
回収区分に供給に供給されたプロセス液の大部分はそのまま回収区画に留まり、回収区画の下部に設けられた回収液を定量的に抜き出す手段により水溶性の有効成分と共に抜き出される。
【００２５】
廃棄水区画に供給されたプロセス液中の比重が１未満の非水溶性の有効成分は、液中の上部付近の留まり、その大部分は回収区画を経て、回収区画の下部に設けられた回収液を定量的に抜き出す手段により抜き出される。
【００２６】
そして、供給された全プロセス液のうち回収区画の下部に設けられた回収液を定量的に抜き出す手段により抜き出された液の残部は、水溶性の有効成分を少量含んで廃棄水区画の排出口からオーバーフローで排出され、適当な排水処理設備に送られる。
【００２７】
以上により、回収区画の下部から有効成分濃度が高い回収液が定量的に回収され、廃棄水区画の排出口から有効成分濃度が低い廃棄水が排出されるのである。
【実施例】
【００２８】
実施例１
図１の設備を用いた。回収区画の実容量は９．１ｍ３であり、廃棄水区画の実容量は１．２ｍ３であった。外壁の高さは１．６ｍであり、仕切り板（Ｉ）の長さは０．９ｍであり、仕切り板（II）の長さは１．０ｍであった。仕切り板（Ｉ）の上端は液面した０．４ｍに位置し、仕切り板（II）の下端は液底面より０．１ｍに位置した。レゾルシン０．２重量％を含む水溶液２５．９重量部を回収区画に供給し、レゾルシン０．１重量％とトルエン０．２重量％を含む水溶液１００重量部を廃棄区画に供給した。回収液を定量的に抜き出す手段（ポンプに接続された配管）によりレゾルシン０．１２重量％とトルエン０．１５重量％を含む水溶液１０３．７重量部を回収し、廃棄水区画の排出口からレゾルシン０．０７重量％とトルエン０．０７重量％を含む水を２２．２重量部でオーバーフローさせた。
【産業上の利用可能性】
【００２９】
本発明は、二種以上の有効成分を含み、水を媒体とする二種以上のプロセス液であって、有効成分のうちの一は水溶性の有効成分であり、有効成分の一は比重が１未満の非水溶性の有効成分であるプロセス液の処理方法であって、比較的簡単な設備で実施でき、処理液の負荷の変動に自動的に対応でき、かつプロセス液中の有効成分に富む液を定量的に回収することができるという優れた特徴を有するプロセス液の処理方法に適用することができる。
【符号の説明】
【００３０】
１  回収区画
２  廃棄水区画
３  外壁
４  仕切り板（Ｉ）
５  仕切り板（II）
６  レゾルシンを含む水溶液
７  レゾルシンとトルエンを含む水溶液
８  ポンプ
９  有効成分濃度が高い回収液
10  有効成分濃度が低い廃棄水
【図１】
2010227844.tif 000003